(57)【特許請求の範囲】
【請求項１】
ビルデイング・パネルにおいて、
該ビルデイング・パネルが、密度１６〜２４ｋｇ／ｍ3 を持つ発泡プラスチック材料でできた概ね直線で囲まれる四辺形状のコアであってかつ該コアが該コアの厚みを挟んで隔てられた互いに概ね平行でかつ同一広がりの表面を持つ２つの広域表面部を有するものである前記コア、および、前記パネルの前記２つの広域表面部間で延びておりかつ概ね平行で同一広がりの表面を持つ多数の溝形補強部材と、を含んでいること、
前記各溝形補強部材は、互いに概ね平行に前記コアのトップとボトムまで延びるように配置されかつ横方向に間隔をおいており、いずれも、長さ方向に延びる基部と、該基部から横方向に延びて長さ方向に前記コアのトップとボトムまで延びる脚部と、を有し、前記基部は、前記コアの２つの前記広域表面部に対して概ね垂直にかつ両広域表面部まで延びておりかつその間に前記コアの発泡プラスチック材料が中を通って広がるための孔を複数備えており、前記各脚部は、前記コアの関係する広域表面部のそれぞれ一方と概ね面一であり、
かつ、前記パネルは、前記補強部材を概ね横切って延びる補強細長片を備えていないこと、を特徴とする前記ビルデイング・パネル。
【請求項２】
請求項１記載のビルデイング・パネルにおいて、前記各溝形補強部材が電気メッキされたスチール部材で形成されていることを特徴とする前記パネル。
【請求項３】
請求項１又は２記載のビルデイング・パネルにおいて、前記補強部材が対で配置され、各対の一方の補強部材は前記脚部が前記コアの両広域表示部の表面のそれぞれ一方と概ね面一になるよう配置され、その結果前記各対の両脚部が互いに相手方向に向かうよう前記コアを横断的に延びることを特徴とする前記パネル。
【発明の詳細な説明】
【０００１】
【発明の属する技術分野】
本発明は、組立式ビルデイング・パネルに関するもので、それも特に断熱・遮音効果の良いビルデイング・パネルに関するものであるが、もちろんこれに限定されるものではない。
【０００２】
【従来の技術】
オーストラリア特許第５６８５４８号にはビルデイング・パネルが記載されており、このビルデイング・パネルは膨張された細胞性プラスチック材料でできたコアとこのコア内に埋め込まれた金属細長片製垂直柱とから構成されている。この金属細長片製垂直柱はＵ字型横断面をしており、さらにこのパネルは水平方向に延びる細長片をそのパネルの頂部と底部とに有している。このようなビルデイング・パネルは製造コストが高くなる。
【０００３】
【発明が解決しようとする課題】
本発明の課題は上記欠点を克服ないし実質改良することにあり、したがって  ビルデイング・パネルの製造コストを下げることにある。
【０００４】
【課題を解決するための手段】
このため、本発明に係るビルデイング・パネルは、
発泡プラスチック材料でできた概ね直線で囲まれる四辺形状のコアであってかつ該コアが該コアの厚みを挟んで隔てられた互いに概ね平行でかつ同一広がりの表面を持つ２つの広域表面部を有するものである前記コアと、
概ね平行で同一広がりの表面を持つ多数の溝形補強部材と、
を含んでいること、
前記溝形補強部材は、
互いに概ね平行に前記パネルの縁まで延びるように配置されかつ横方向に間隔をおいていること、
いずれも、長さ方向に延びる基部と、該基部から横方向に延びて長さ方向に延びる脚部と、を有すること、
前記基部は又は前記脚部の一方は、
前記２つの広域表面部の一方と概ね面一となるように配置されること、
かつ、この場合、前記パネルは、
前記補強部材を概ね横切って延びる補強細長片を備えていないこと、
から構成されている。
また、好ましくは、前記プラスチック材料が密度１６〜２４ｋｇ／ｍ3 を持つようにすると良い。
【０００５】
【発明の実施の形態】
添付図面の図１には、ビルデイング・パネル１０が概略的に描かれている。このビルデイング・パネル１０はビルデイングの壁と共に使用されるものである。このビルデイング・パネル１０は、例えば密度１６〜２４ｋｇ／ｍ3 を持つ膨張されたポリスチレンといったような発泡プラスチック材料で形成されている。このパネル１０はこのように発泡プラスチック材料で形成されているため、良好な断熱・遮音特性を有している。
【０００６】
このパネル１０は、発泡プラスチック材料で形成されているコア１１を有し、このコア１１の内に垂直方向に延びる補強部材１２と１３が多数埋め込まれている。
【０００７】
これらの補強部材１２と１３は基部１４から１対の脚部１５が延びているためにＵ字型横断面をしている。
【０００８】
このコア１１は直線で囲まれる次のような四辺形状物をしている。すなわち、この四辺形状物は、概ね平行で同一広がりの２つの広域表面部１６および１７と、概ね平行に垂直方向に延びるエッジ部１８および１９と、を有している。このエッジ部１８と１９は、同じ形状を有する隣接パネルが重なり部分を持つようにアレンジされており、この実施例ではエッジ部１８と１９が段付けされている。しかしながら他のエッジ形状を採用することも可能であり、「さねはぎ継ぎ」形状のようなものも良い。
【０００９】
補強部材１２と１３の有する基部１４は、いずれも、その基部の関与する広域表面部１６と１７と面一（つらいち：同一表面上に存在すること）となっている。この点に関して、補強部材１２と１３は２組配置とし、各組を広域表面部１６および１７のそれぞれ一方に配置すると良い。
【００１０】
補強部材１２と１３は垂直方向にこのパネル１０の高さ一杯に延びており、その寸法はパネル１０に十分な剛性と加重支持特性とを与え得るような寸法になっている。好ましくは、補強部材１２と１３は亜鉛等でメッキされたスチール部材であって、その厚さが約０．７５ｍｍで、幅（基部１４）が約９０ｍｍで、深さ（脚部１５）約３０ｍｍであるのものが良い。
【００１１】
このパネル１０を形成するには中空鋳型が用いられ、補強部材１２と１３がその中空鋳型の中に置かれ、正しいポジションに保持される。その後、ポリスチレンビーズをスチームを使用しながら加圧下に置き、そのポリスチレンビーズを膨張させコア１１を形成させる。好ましくは、補強部材１２と１３をクロロプレン基材接着剤でコーテイングして、補強部材１２と１３とをコア１１に確実に接着させる。
【００１２】
前記パネル１０は既述したように他のパネルと共に壁を形成するのに用いられても良い。好ましくは、この壁にはトッププレート２０とボトムプレート２１が設けられると良い。このプレート２０と２１は、パネル１０の上端・下端を収納しうる寸法の溝が長さ方向に延びる樋形状とするのが良い。好ましくは、補強部材１２と１３は、ネジやリベット等の固定手段を用いてプレート２０と２１に確実に固定されるのが良い。
【００１３】
上述した好ましい実施例において、補強部材１２と１３はコア１１を挟んで対向配置されている。しかしながら、補強部材１２と１３は対向配置ではなくて、コア１１を挟んで千鳥配置にするようにしても良い。
【００１４】
典型的な例として、前記パネル１０の全体の寸法は２４００×１２００×９０ｍｍとしている。
【００１５】
図２と図３には、ビルデイング・パネル３０が概略的に描かれている。このビルデイング・パネル３０は、パネル１０の場合と同じく、同じ形状のパネルを組み合わせて使用されるものであり、これによって壁を形成する。特にこれらが形成するのは内壁である。
【００１６】
このパネル３０は、密度１６〜２４ｋｇ／ｍ3 を持つ膨張されたポリスチレンの発泡体で形成されている。更に好ましくは、それは密度２０ｋｇ／ｍ3 を持つのが良い。
【００１７】
このパネル３０は発泡プラスチック材料で形成されたセグメント３１を備えており、このセグメント３１の間に、垂直方向に延びる補強部材３２と３３とが配置される。必要であれば、さらに多くの補強部材３２と３３が使用されてももちろんかまわない。
【００１８】
これらの補強部材３２と３３は基部３４から１対の脚部３５が延びているためにＵ字型横断面をしている。
【００１９】
このパネル３０は直線で囲まれる次のような四辺形状物をしている。すなわち、この四辺形状物は、概ね平行で同一広がりの２つの広域表面部３６および３７と、概ね平行に垂直方向に延びるエッジ部３８および３９と、を有している。このエッジ部３８と３９は、同じ形状を有する隣接パネルが重なり部分を持つようにアレンジされており、この実施例ではエッジ部３８と３９が段付けされている。しかしながら、他のエッジ形状を採用することも可能であり、「さねはぎ継ぎ」形状のようなものも良い。
【００２０】
補強部材３２と３３の有する脚部３５は、いずれも、その脚部３５の関与する広域表面部３６と３７と面一となっている。この点に関して、補強部材３２と３３の有する脚部３５は、概ねパネル３０の平面内に突出している。
【００２１】
補強部材３２と３３は垂直方向にこのパネル３０の高さ一杯に延びており、その寸法はパネル３０に十分な剛性と加重支持特性とを与えれるような寸法になっている。好ましくは、補強部材３２と３３が亜鉛等でメッキされたスチール部材であって、その厚さが約０．７５ｍｍで、幅（基部３４）が約９０ｍｍで、深さ（脚部３５）が約３０ｍｍであるものが良い。他の例としては、約７５ｍｍの厚さ、即ち基部３４が７５ｍｍ、のパネルとするのが良い。
【００２２】
補強部材３２と３３のいずれにも、多数の孔４０がその基部にあり、その結果発泡したポリスチレンの発泡体がその孔を通って広がり、セグメント３１と接合することができる。
【００２３】
好ましくは、補強部材３２と３３をクロロプレン基材接着剤のような接着剤でコーテイングすると良い。この接着剤は例えばスプレーで用いられることができる。
【００２４】
前記パネル３０は既述したように他のパネルと共に壁を形成するのに用いられても良い。好ましくは、この壁にはトッププレート４１とボトムプレート４２が設けられると良い。この両プレート４１・４２は、パネル３０の上端・下端を収納しうる寸法の溝が長さ方向に延びる樋形状とするのが良い。好ましくは、補強部材３２と３３は、ネジやリベット等の固定手段を用いてプレート４１と４２に確実に固定されるのが良い。
【００２５】
【発明の効果】
従来のオーストラリア特許第５６８５４８号のパネルは補強部材を横切って延びる補強細長片を備える必要があったのに対して、本発明ではこのように補強細長片を備える必要がないため、ビルデイング・パネルの製造コストを低く抑えることが可能となる。
【図面の簡単な説明】
【図１】本発明の第１実施例のビルデイング・パネルの概略斜視図。
【図２】本発明の第２実施例のビルデイング・パネルの概略斜視図。
【図３】図２のビルデイング・パネルに使用されている補強部材の概略斜視図。
【符号の説明】
１０            パネル
１１            コア
１２、１３      補強部材
１４            基部
１５            脚部
１６、１７      広域表面部
１８、１９      エッジ部
２０            トッププレート
２１            ボトムプレート
３０            パネル
３１            セグメント
３２、３３      補強部材
３４            基部
３５            脚部
３６、３７      広域表面部
３８、３９      エッジ部
４０            孔
４１            トッププレート
４２            ボトムプレート
【図１】
0003874445.tif 000002
【図２】
0003874445.tif 000003
【図３】
0003874445.tif 000004